(57)【要約】【課題】受け口が同寸法の排水桝若しくはアジャスターと連結することができ、水平方向からの土圧が作用しても浮上することがない高さ調整用アジャスターを提供する。【解決手段】筒体の上端部に、蓋体３又はアジャスター１の下端を嵌入する受け口１ａが設けられた地中に埋設される高さ調整用アジャスター１において、受け口１ａが、下側に連結される排水桝２若しくはアジャスター１の受け口１ａと同寸法であって、筒体の側壁１ｂが下広がりに形成されており、該側壁１ｂの外周面と側壁内周面の傾斜角θ１，θ２が同じである構成とする。受け口１ａが下側に連結される排水桝２の受け口２ａと同寸法であるので、汎用性が高い。側壁１ｂを下広がりに傾斜させることで、水平方向の耐土圧強度が高く、アジャスター１が浮上してしまうことがない。また、側壁１ｂの外周面と内周面の傾斜角θ１，θ２を同じにすることで、側壁１ｂの薄肉化が可能となる。【選択図】図４
2013177754.tif 000002
【特許請求の範囲】
【請求項１】
筒体の上端部に、蓋体又はアジャスターの下端を嵌入する受け口が設けられた地中に埋設される高さ調整用アジャスターにおいて、
上記受け口が、下側に連結される排水桝若しくはアジャスターの受け口と同寸法であって、
上記筒体の側壁が下広がりに形成されており、該側壁外周面と側壁内周面の傾斜角が同じであることを特徴とする高さ調整用アジャスター。
【請求項２】
側壁の傾斜角が０．１〜２°であることを特徴とする請求項１に記載の高さ調整用アジャスター。
【請求項３】
側壁の上端から下端までが受け口の真下に位置することを特徴とする請求項１又は請求項２に記載の高さ調整用アジャスター。
【発明の詳細な説明】
【技術分野】
【０００１】
本発明は、地中に埋設された排水桝の嵩上げに用いられる高さ調整用アジャスターに関するものである。
【背景技術】
【０００２】
地中に埋設された排水桝等の高さを調整して地表に臨ませるアジャスター部材として、従来より種々のものが提案されている。その一つに、周方向及び高さ方向に複数に分割して構成された内張セグメントからなり、既設のマンホールの内周面に内張りしてその内側に新たなマンホールを構成するコンクリート製のマンホール構成用内張材がある（特許文献１）。
【０００３】
上記マンホール構成用内張材は、老朽化や劣化又は損傷したマンホールの内側に新たなマンホールを形成することができる内張材であるが、マンホールの蓋体を載置するテーパー型内張セグメントの上端開口と、高さ調整をするための内張セグメントの開口が異径であるため、マンホールの蓋体が高さ調整の内張セグメントと同径の場合、テーパー型内張セグメントと内張セグメントを接続できないという問題があった。
【０００４】
また、地中室を形成するため地中に埋設されるアジャスター部材として、枠体本体がその上部開口部の周縁部を地上に突出して地表に埋設され、該開口部を閉塞すべく開口部の内周壁に設けられた蓋受段部に載置される蓋の上面が、上記周縁部の上面より低く位置されてなる地表埋設用枠体なども知られている（特許文献２）。
【０００５】
上記地表埋設用枠体は、枠体本体の開口部とその下側に連結される子枠体の開口部が同径のため、上記の問題は一応解決することができる。
【先行技術文献】
【特許文献】
【０００６】
【特許文献１】実用新案登録第３１５１６２０号公報
【特許文献２】特開２００８−２７４７３６号公報
【発明の概要】
【発明が解決しようとする課題】
【０００７】
しかしながら、上記特許文献２の地表埋設用枠体は、枠体本体及び子枠体が下窄まりの形状に形成されているため、地中に埋設した際に、水平方向から土圧が作用すると、その土圧によって、枠体本体や子枠体が上方へと押し上げられて、枠体本体が地表より突出してしまう恐れがあった。
【０００８】
本発明は上記の問題に鑑みてなされたもので、その解決しようとする課題は、受け口が同寸法の排水桝若しくはアジャスターと連結することができ、水平方向からの土圧が作用しても浮上することがない高さ調整用アジャスターを提供することにある。
【課題を解決するための手段】
【０００９】
上記目的を達成するため、本発明に係る高さ調整用アジャスターは、筒体の上端部に、蓋体又はアジャスターの下端を嵌入する受け口が設けられた地中に埋設される高さ調整用アジャスターにおいて、上記受け口が、下側に連結される排水桝若しくはアジャスターの受け口と同寸法であって、上記筒体の側壁が下広がりに形成されており、該側壁外周面と側壁内周面の傾斜角が同じであることを特徴とするものである。
【００１０】
本発明の高さ調整用アジャスターにおいては、側壁の傾斜角が０．１〜２°であることが好ましく、側壁の上端から下端までが受け口の真下に位置することがより好ましい。
【発明の効果】
【００１１】
本発明の高さ調整用アジャスターは、蓋体又はアジャスターの下端を嵌入する受け口が、下側に連結される排水桝若しくはアジャスターの受け口と同寸法であるので、最も施工頻度の高い蓋体と排水桝が同径の場合の高さ調整用部材として用いることができる。そして、排水桝が地中深くに埋設されている場合には、このアジャスター同士を上下に複数連結することで対応することができるので、汎用性が高い。また、側壁を下広がりに傾斜させることで、側壁がストレートなアジャスターに比べると、水平方向の耐土圧強度が高く、下広がりにすることで、水平方向から土圧が作用してもアジャスターが浮上してしまうことがない。しかも、筒体側壁の外周面と内周面の傾斜角を同じにする、換言すれば、側壁の厚みを同一にすることで、側壁の強度が均一化されて薄肉化が可能となり、アジャスターを軽量化できると共に材料コストを抑えることもできる。
【００１２】
また、側壁の傾斜角が０．１〜２°である高さ調整用アジャスターは、側壁の耐土圧強度、及び、鉛直方向からの荷重に対して最も好ましい範囲であり、下側に連結される同径の排水桝若しくはアジャスターの受け口に確実に嵌入できる傾斜角でもある。
【００１３】
更に、側壁の上端から下端までが受け口の真下に位置する高さ調整用アジャスターは、受け口に鉛直方向の荷重が作用しても、側壁が確実にその荷重を受け止めることができる。また、側壁を水平方向に切断して高さ調整する際に、側壁の上端から下端までを受け口の真下に位置させることで、側壁をどの位置で切断しても、下方に位置する同径の排水桝の、或いは、同様のアジャスターの受け口に嵌入することができる。
【図面の簡単な説明】
【００１４】
【図１】本発明の一実施形態に係る高さ調整用アジャスターの斜視図である。
【図２】同アジャスターの施工態様を示す概略図である。
【図３】図２の断面図である。
【図４】図３の分解図である。
【図５】同アジャスターの受け口と側壁の位置関係を示す説明図である。
【発明を実施するための最良の形態】
【００１５】
以下、図面を参照して本発明の具体的な実施形態を詳述する。
【００１６】
図１に示す本発明の高さ調整用アジャスター１（以下、単にアジャスター１という。）は、図２に示すように、地中に埋設された排水桝２の嵩上げをして、地表に臨ませるための円筒体であって、図３に示すように、側壁１ｂ（周壁）の上端部には、蓋体３の係合部３ａを嵌入する受け口１ａが設けられている。
【００１７】
上記アジャスター１の受け口１ａは、図３、図４に示すように、側壁１ｂの外側から上方へ立ち上がる外側立ち上がり壁１０ａと、側壁１ｂの内側から上方へ立ち上がる内側立ち上がり壁１１ａと、該外側立ち上がり壁１０ａと内側立ち上がり壁１１ａの下端部を連結することにより形成される環状溝部１２ａからなる断面形状が略凹型のもので、外側立ち上がり壁１０ａは、蓋体３を受け口１ａに載置した際、蓋体３とアジャスター１が略面一となるように、内側立ち上がり壁１１ａよりも蓋体３の厚み分だけ高く形成されている。
【００１８】
図４に示すように、この受け口１ａの直径Ｄ１は、下側に連結される排水桝２の受け口２ａの直径Ｄ２と同径に形成されている。従って、最も施工頻度の高い蓋体３と排水桝２が同径の場合に用いることができるので、高さ調整用のアジャスター部材として汎用性が高い。
【００１９】
上記受け口１ａがその上端部に設けられている側壁１ｂは、下方に向って外側へ広がる下広がりの円筒体であって、図４に示すように、その側壁１ｂの外周面の傾斜角θ１と内周面の傾斜角θ２（鉛直方向に対して外側へ広がる角度）が同じとなるように形成されている。即ち、換言すれば、側壁１ｂ上端の厚みｔ１と側壁１ｂ下端の厚みｔ２が同じであり、具体的に、側壁１ｂ外周面の傾斜角θ１及び内周面の傾斜角θ２が０．１〜２°、側壁１ｂ上端及び下端の厚みｔ１，ｔ２が４〜５ｍｍ程度に形成されている。この側壁１ｂの傾斜角θ１，θ２のより好ましい範囲は０．３〜１°であり、傾斜角θ１，θ２がこの範囲内にあると、アジャスター１の全高が高い場合でも、下側の排水桝２の受け口２ａに側壁１ｂの下端を確実に嵌入することができる。
【００２０】
本発明の最大の特徴は、上記のように、側壁１ｂを下広がりに形成すると共に、側壁１ｂの外周面の傾斜角θ１と内周面の傾斜角θ２を同じとしたことにあり、これによって水平方向からの土圧がアジャスター１に作用しても、アジャスター１が上方へ押し上げられて地表より突出してしまうのを防止できると共に、側壁１ｂの強度を均一化することで、側壁１ｂの薄肉化が可能となって材料コストを抑えることができるようになる。
【００２１】
そして、この側壁１ｂは、蓋体３の上に人等の荷重が加わったときに備えて、図５の（ａ）に示すように、その上端内周面から下端外周面までが受け口１ａの真下に位置するように形成されている。より詳述すると、本実施形態では、側壁１ｂが受け口１ａの環状溝部１２ａの幅内に収まるように形成されている。後述するように、本実施形態の蓋体３は、アジャスター１の環状溝部１２ａに蓋体３の係合部３ａを嵌入することで、アジャスター１の上部開口を覆っており、その際、係合部３ａの下端面がアジャスター１の環状溝部１２ａの底面に当接するようになっている。従って、何らかの荷重が蓋体３に加わると、その荷重は、蓋体３の係合部３ａからアジャスター１の環状溝部１２ａに作用し、更に環状溝部１２ａの下方に位置する側壁１ｂへと伝達される。このとき、側壁１ｂが環状溝部１２ａの真下に位置していなければ、受け口１ａと側壁１ｂの連結箇所が折れたり曲がったりして破損する恐れが生じるが、本発明のアジャスター１は、環状溝部１２ａの真下に側壁１ｂが位置するように形成しているので、受け口１ａ（環状溝部１２ａ）に作用した荷重は、側壁１ｂが確実に受け止めて、破損の心配がない。
【００２２】
また、本発明のアジャスター１は、側壁１ｂの途中を水平方向に切断して高さ調整することも多いが、側壁１ｂの上端から下端までを受け口１ａの真下に位置させることで、側壁１ｂをどの位置で切断しても、下方に位置する同径の排水桝２の受け口２ａ、或いは、同様のアジャスター１の受け口１ａに嵌入することができるというメリットもある。
【００２３】
尚、図５の（ｂ）に示すように、蓋体３の中には、係合部３ａの下端面が環状溝部１２ａの底面に当接せずに、蓋体３の裏面を受け口１ａの内側立ち上がり壁１１ａに載置するタイプのものもある。この場合、蓋体３に加わった荷重は、内側立ち上がり壁１１ａの真下に作用するので、その荷重を確実に受け止めるためには、側壁１ｂが内側立ち上がり壁１１ａの真下に位置する必要がある。このように、アジャスター１の側壁１ｂは、受け口１ａの環状溝部１２ａから内側立ち上がり壁１１ａの間の真下に位置させることが好ましい。
【００２４】
上記のように、本発明のアジャスター１は、側壁１ｂの途中を水平方向に切断して高さ調整することも多いので、その際、側壁１ｂを切断し易くするため、図１の仮想線で示すように、側壁１ｂ外周面の下端部に断面形状がＶ字形の溝部１ｃを複数設けることも好ましい。また、このアジャスター１に排水管４を直接挿入することもあるので、その際の穿孔箇所の目印に、断面形状がＶ字形の円形溝部１ｄを設けることも好ましい。
上記構成のアジャスター１の材質は特に限定されるものではないが、耐久性等を考慮するとポリプロピレン製のものが好適に用いられる。
【００２５】
次に、上記アジャスター１の下側に連結される排水桝２は、図３、図４に示すように、その上端部に、アジャスター１の側壁１ｂの下端を嵌入する、断面形状が略凹型の受け口２ａが設けられていると共に、その側面には、排水管４，４を挿入するための接続口２ｂ，２ｂが設けられている。前述したように、この受け口２ａの直径Ｄ２は、アジャスター１の受け口１ａの直径Ｄ１と同径であり、排水桝２の受け口２ａがアジャスター１の受け口１ａと同径であれば、排水桝２はどのようなタイプの排水桝２であってもよく、排水管４を挿入する接続口２ｂが１つだけの排水桝２でも複数個設けられた排水桝２でもよいし、反対に接続口２ｂが１つもない排水桝２であってもよい。
【００２６】
一方、上記アジャスター１の上部開口を覆う蓋体３は、高強度で優れた耐久性を有するレジンコンクリート製のものであって、図４に示すように、その外径は、アジャスター１の受け口１ａの直径Ｄ１と同径となっている。この蓋体３裏面の縁には、アジャスター１の環状溝部１２ａに嵌入する環状の係合部３ａが下方に向って突設されていると共に、係合部３ａの内側には、環状凸部３ｂが周設されている。そして、環状凸部３ｂの外側面には、断面形状が略レ字型の防水パッキン３ｃが取付けられており、蓋体３を載置した際、アジャスター１の受け口１ａの内側立ち上がり壁１１ａと防水パッキン３ｃが密接して、防水性が向上すると共に、臭気が地上に放出されるのが防止される。
【００２７】
上記のアジャスター１、排水桝２、蓋体３は、次のような手順で施工される。即ち、図２に示すように、地中に配管された排水管４の位置まで地面を掘削して排水桝２を埋設し、その接続口２ｂ，２ｂに排水管４，４を挿入する。次いで、アジャスター１の側壁１ｂ下端を、排水桝２の受け口２ａに嵌入し、排水桝２とアジャスター１を連結する。この際、アジャスター１の上端が地表より突出するときは、側壁１ｂの溝部１ｃに沿って側壁１ｂを水平方向に切断して、地面とアジャスター１の上端が略面一になるように高さ調整をする。最後に、アジャスター１の受け口１ａの環状溝部１２ａに、蓋体３の係合部３ａを嵌入し、蓋体３をアジャスター１に載置することで施工は終了する。
尚、排水桝２が地中深くに埋設されている場合は、アジャスター１と排水桝２の間に、更に本発明のアジャスター１を介在させればよい。
【００２８】
以上のような構成の本発明のアジャスター１は、受け口１ａの直径Ｄ１が、排水桝２の受け口２ａの直径Ｄ２と同径であるので、最も施工頻度の高い蓋体３と排水桝２が同径の場合の高さ調整用部材として用いることができて、汎用性が高い。また、側壁１ｂを下広がりに傾斜させることで、水平方向の耐土圧強度が高く、水平方向から土圧が作用してもアジャスター１が浮上してしまう心配がない。しかも、側壁１ｂの外周面と内周面の傾斜角θ１，θ２を同じにすることで、側壁１ｂの強度が均一化されるので薄肉化が可能となって、アジャスター１を軽量化できると共に材料コストを抑えることもできる。
【符号の説明】
【００２９】
１    高さ調整用アジャスター
１ａ  受け口
１０ａ  外側立ち上がり壁
１１ａ  内側立ち上がり壁
１２ａ  環状溝部
１ｂ  側壁（周壁）
１ｃ  溝部
１ｄ  円形溝部
Ｄ１  受け口の直径
θ１  側壁外周面の傾斜角
θ２  側壁内周面の傾斜角
ｔ１  側壁上端の厚み
ｔ２  側壁下端の厚み
２    排水桝
２ａ  受け口１ａ
２ｂ  接続口
Ｄ２  受け口の直径
３    蓋体
３ａ  係合部
３ｂ  環状凸部
３ｃ  防水パッキン
４    排水管
【図１】
2013177754.tif 000003
【図２】
2013177754.tif 000004
【図３】
2013177754.tif 000005
【図４】
2013177754.tif 000006
【図５】
2013177754.tif 000007